(57)【要約】【課題】フラッシュバックを可視化するための延長部を備える針アセンブリを提供すること。【解決手段】針アセンブリであって、ハウジングであって、該ハウジングは、空洞を規定する基部、および該基部から遠位に延びる延長部を備え、該延長部は、透明材料から作製されており、そして該延長部を通る管腔を規定する、ハウジング；該延長部内に支持されて該延長部から遠位に延びる第一のカニューレであって、該第一のカニューレは、脈管に入るために構成された穿刺先端を有する、第一のカニューレ；ならびに該基部の該空洞内に支持される第二のカニューレであって、該第二のカニューレは、該延長部内に形成された管腔を介して該第一のカニューレと流体連絡する、第二のカニューレ、を備え、該針アセンブリを排気する前に該第一のカニューレに入る少量のフラッシュバックが、該延長部において可視化され得る、針アセンブリ。【選択図】なし【特許請求の範囲】
【請求項１】
針アセンブリであって、
ハウジングであって、該ハウジングは、空洞を規定する基部、および該基部から遠位に延びる延長部を備え、該延長部は、透明材料から作製されており、そして該延長部を通る管腔を規定する、ハウジング；
該延長部内に支持されて該延長部から遠位に延びる第一のカニューレであって、該第一のカニューレは、脈管に入るために構成された穿刺先端を有する、第一のカニューレ；ならびに
該基部の該空洞内に支持される第二のカニューレであって、該第二のカニューレは、該延長部内に形成された管腔を介して該第一のカニューレと流体連絡する、第二のカニューレ、
を備え、該延長部の遠位端は、該第一のカニューレの遠位端から短い距離に配置され、その結果、該針アセンブリを排気する前に該第一のカニューレに入る少量のフラッシュバックが、該延長部において可視化され得る、針アセンブリ。
【請求項２】
前記基部の前記空洞が、減圧チューブを受容するように構成されている、請求項１に記載の針アセンブリ。
【請求項３】
前記延長部が、該延長部の内容物を拡大して見せるように構成されている、請求項１に記載の針アセンブリ。
【請求項４】
前記基部に作動可能に接続されて前記第二のカニューレを覆うエラストマー弁をさらに備える、請求項１に記載の針アセンブリ。
【請求項５】
前記基部が前記延長部と一体的に形成されている、請求項１に記載の針アセンブリ。
【請求項６】
前記延長部が前記基部に作動可能に接続される、請求項１に記載の針アセンブリ。
【請求項７】
前記透明な延長部が単一の管腔を規定する、請求項１に記載の針アセンブリ。
【請求項８】
前記延長部に形成された前記管腔が、該管腔の長さに沿って実質的に均一な直径を規定する、請求項１に記載の針アセンブリ。
【請求項９】
前記延長部が、細長い管状本体を規定し、該細長い管状本体が、該細長い管状本体の長さに沿って実質的に均一な直径を有する、請求項１に記載の針アセンブリ。
【請求項１０】
前記延長部が、実質的にテーパ状の本体を規定し、該延長部の近位端が、該延長部の遠位端よりも大きい直径を規定する、請求項１に記載の針アセンブリ。
【請求項１１】
フラッシュバックの可視化を可能にするための延長部であって、該延長部は、
実質的に細長い本体であって、該本体は、近位端および遠位端を有し、そして該本体を通る第一の管腔を規定し、該本体は、透明材料から作製されている、本体；ならびに
第一のカニューレであって、該第一のカニューレは、該細長い本体の遠位端に作動可能に支持されており、そして該第一の管腔と流体連絡する第二の管腔を規定する、第一のカニューレ、
を備え、該第一のカニューレは、静脈への挿入の際に、該延長部を排気する前に、該細長い本体においてフラッシュバックが可視化され得るように予め選択された長さを有する、延長部。
【請求項１２】
第二のカニューレをさらに備え、該第二のカニューレは、前記細長い本体の前記近位端の近くに作動可能に支持され、そして前記第一の管腔と流体連絡する第三の管腔を規定する、請求項１１に記載の延長部。
【請求項１３】
前記第一のカニューレが２ｃｍ以下の長さである、請求項１１に記載の延長部。
【請求項１４】
前記第一の管腔、前記第二の管腔、および前記第三の管腔が、実質的に等しい直径である、請求項１２に記載の延長部。
【請求項１５】
フラッシュバックを可視化するためのシステムであって、該システムは、
針アセンブリであって、該針アセンブリは、ハウジングおよび第一のカニューレを備え、該ハウジングは、空洞を規定する基部および該基部から遠位に延びる延長部を有し、該延長部は、透明材料から作製されており、そして該延長部を通る管腔を規定し、該第一のカニューレは、該延長部の遠位端に支持され、そして該延長部から遠位に延び、該カニューレは、脈管に入るように構成された穿刺先端を有し、そして２ｃｍ以下の長さである、針アセンブリ、
を備え、
該第一のカニューレの該穿刺先端は、脈管に挿入されるように構成されており、そして
該延長部は、該針アセンブリを排気する前にフラッシュバックを観察するように構成されている、システム。
【請求項１６】
前記針アセンブリが、前記基部の前記空洞内に支持された第二のカニューレを備え、該第二のカニューレが、前記延長部内に形成された管腔を介して前記第一のカニューレと流体連絡する、請求項１５に記載のシステム。
【発明の詳細な説明】
【技術分野】
【０００１】
本願は、２００７年９月２７日に出願された、米国仮出願番号６０／９９５，６１６の優先権を主張する。この米国仮出願は、その全体が本明細書中に参考として援用される。
【０００２】
（技術分野）
本開示は、一般に、瀉血針アセンブリに関し、そして特に、「フラッシュバック」を可視化するための延長部を備える針アセンブリに関する。
【背景技術】
【０００３】
静脈穿刺とは、実験室での試験のために血液サンプルを獲得するために使用される、基本の方法である。血液サンプルの獲得において瀉血者を補助するための種々の静脈穿刺デバイスが開発されている。代表的に、静脈穿刺デバイスは、静脈に挿入される針を有する針ホルダを備える。減圧チューブがこの針ホルダに挿入されると、この減圧チューブが血液で満たされ始め、静脈に入ったことを確認する。１回の血液採取手順の間に、１つ以上の減圧チューブが、この様式で満たされ得る。針ホルダに組み込まれた「フラッシュバック」機構を備える、改善された静脈穿刺デバイスを開発する試みがなされている。これらの「フラッシュバック」機構は、代表的に、排気構造体を備え、この排気構造体は、フラッシュバックチャンバに達するために充分な量の血液が静脈穿刺デバイスに入ることを可能にし、従って、静脈に入ったことを瀉血者が視覚的に確認することを可能にする。しかし、「フラッシュバック」の可視化を可能にする種々の排気手段および／またはチャンバの構成は、複雑であり得、従って、製造が高価であり得る。さらに、排気構造体を有さない瀉血針アセンブリにおいては、血液が針アセンブリを通って流れてフラッシュバックが可視化され得る前に、減圧チューブが針ホルダに挿入されなければならない。
【発明の開示】
【発明が解決しようとする課題】
【０００４】
本発明の目的は、フラッシュバックを可視化するための延長部を備える針アセンブリを提供することである。
【課題を解決するための手段】
【０００５】
上記課題を解決するために、本発明は、例えば、以下を提供する：
（項目１）
針アセンブリであって、
ハウジングであって、該ハウジングは、空洞を規定する基部、および該基部から遠位に延びる延長部を備え、該延長部は、透明材料から作製されており、そして該延長部を通る管腔を規定する、ハウジング；
該延長部内に支持されて該延長部から遠位に延びる第一のカニューレであって、該第一のカニューレは、脈管に入るために構成された穿刺先端を有する、第一のカニューレ；ならびに
該基部の該空洞内に支持される第二のカニューレであって、該第二のカニューレは、該延長部内に形成された管腔を介して該第一のカニューレと流体連絡する、第二のカニューレ、
を備え、該延長部の遠位端は、該第一のカニューレの遠位端から短い距離に配置され、その結果、該針アセンブリを排気する前に該第一のカニューレに入る少量のフラッシュバックが、該延長部において可視化され得る、針アセンブリ。
【０００６】
（項目２）
上記基部の上記空洞が、減圧チューブを受容するように構成されている、項目１に記載の針アセンブリ。
【０００７】
（項目３）
上記延長部が、該延長部の内容物を拡大して見せるように構成されている、項目１に記載の針アセンブリ。
【０００８】
（項目４）
上記基部に作動可能に接続されて上記第二のカニューレを覆うエラストマー弁をさらに備える、項目１に記載の針アセンブリ。
【０００９】
（項目５）
上記基部が上記延長部と一体的に形成されている、項目１に記載の針アセンブリ。
【００１０】
（項目６）
上記延長部が上記基部に作動可能に接続される、項目１に記載の針アセンブリ。
【００１１】
（項目７）
上記透明な延長部が単一の管腔を規定する、項目１に記載の針アセンブリ。
【００１２】
（項目８）
上記延長部に形成された上記管腔が、該管腔の長さに沿って実質的に均一な直径を規定する、項目１に記載の針アセンブリ。
【００１３】
（項目９）
上記延長部が、細長い管状本体を規定し、該細長い管状本体が、該細長い管状本体の長さに沿って実質的に均一な直径を有する、項目１に記載の針アセンブリ。
【００１４】
（項目１０）
上記延長部が、実質的にテーパ状の本体を規定し、該延長部の近位端が、該延長部の遠位端よりも大きい直径を規定する、項目１に記載の針アセンブリ。
【００１５】
（項目１１）
フラッシュバックの可視化を可能にするための延長部であって、該延長部は、
実質的に細長い本体であって、該本体は、近位端および遠位端を有し、そして該本体を通る第一の管腔を規定し、該本体は、透明材料から作製されている、本体；ならびに
第一のカニューレであって、該第一のカニューレは、該細長い本体の遠位端に作動可能に支持されており、そして該第一の管腔と流体連絡する第二の管腔を規定する、第一のカニューレ、
を備え、該第一のカニューレは、静脈への挿入の際に、該延長部を排気する前に、該細長い本体においてフラッシュバックが可視化され得るように予め選択された長さを有する、延長部。
【００１６】
（項目１２）
第二のカニューレをさらに備え、該第二のカニューレは、上記細長い本体の上記近位端の近くに作動可能に支持され、そして上記第一の管腔と流体連絡する第三の管腔を規定する、項目１１に記載の延長部。
【００１７】
（項目１３）
上記第一のカニューレが２ｃｍ以下の長さである、項目１１に記載の延長部。
【００１８】
（項目１４）
上記第一の管腔、上記第二の管腔、および上記第三の管腔が、実質的に等しい直径である、項目１２に記載の延長部。
【００１９】
（項目１５）
フラッシュバックを可視化するためのシステムであって、該システムは、
針アセンブリであって、該針アセンブリは、ハウジングおよび第一のカニューレを備え、該ハウジングは、空洞を規定する基部および該基部から遠位に延びる延長部を有し、該延長部は、透明材料から作製されており、そして該延長部を通る管腔を規定し、該第一のカニューレは、該延長部の遠位端に支持され、そして該延長部から遠位に延び、該カニューレは、脈管に入るように構成された穿刺先端を有し、そして２ｃｍ以下の長さである、針アセンブリ、
を備え、
該第一のカニューレの該穿刺先端は、脈管に挿入されるように構成されており、そして
該延長部は、該針アセンブリを排気する前にフラッシュバックを観察するように構成されている、システム。
【００２０】
（項目１６）
上記針アセンブリが、上記基部の上記空洞内に支持された第二のカニューレを備え、該第二のカニューレが、上記延長部内に形成された管腔を介して上記第一のカニューレと流体連絡する、項目１５に記載のシステム。
【００２１】
（項目１７）
フラッシュバックを可視化する方法であって、該方法は、
針アセンブリを提供する工程であって、該針アセンブリは、ハウジングおよび第一のカニューレを備え、該ハウジングは、空洞を規定する基部および該基部から遠位に延びる延長部を有し、該延長部は、透明材料から作製されており、そして該延長部を通る管腔を規定し、該第一のカニューレは、該延長部の遠位端に支持され、そして該延長部から遠位に延び、該カニューレは、脈管に入るように構成された穿刺先端を有し、そして２ｃｍ以下の長さである、工程；
該第一のカニューレの該穿刺先端を脈管に挿入する工程；ならびに
該針アセンブリを排気する前に、該延長部においてフラッシュバックを可視化する工程、
を包含する、方法。
【００２２】
（項目１８）
上記針アセンブリを提供する工程が、上記基部の上記空洞内に支持された第二のカニューレを提供する工程を包含し、該第二のカニューレが、上記延長部内に形成された管腔を介して上記第一のカニューレと流体連絡する、項目１７に記載の方法。
【００２３】
血液採取手順の間にフラッシュバックを可視化するための針アセンブリが開示される。この針アセンブリは、ハウジング、第一のカニューレ、および第二のカニューレを備える。このハウジングは、空洞を規定する基部、およびこの基部から遠位に延びる延長部を有し、この延長部は、透明材料で作製されており、そしてこの延長部を通る管腔を規定する。この第一のカニューレは、この延長部の内部に支持され、そしてこの延長部から遠位に延び、脈管に入るために構成された穿刺先端を有する。この第二のカニューレは、この基部の空洞内に支持され、この第二のカニューレは、延長部内に形成された管腔を介して第一のカニューレと流体連絡する。
【００２４】
（要旨）
針アセンブリを排気する前にフラッシュバックを可視化するための針アセンブリが提供される。この針アセンブリは、空洞を規定する基部を有するハウジング、およびこの基部から遠位に延びる延長部を備え、この延長部は、透明材料から作製されており、そしてこの延長部を通る管腔を規定する。この針アセンブリは、第一のカニューレおよび第二のカニューレをさらに備える。この第一のカニューレは、この延長部内に支持され、そしてこの延長部から遠位に延び、この第一のカニューレは、脈管に入るように構成された穿刺先端を有する。この第二のカニューレは、基部の空洞内に支持される。この第二のカニューレは、延長部内に形成された管腔を介して第一のカニューレと流体連絡する。基部の空洞は、減圧チューブを受容するように構成され得る。この延長部は、この延長部の内容物を拡大して見せるするように構成され得る。
【００２５】
この針アセンブリは、基部に作動可能に接続されて第二のカニューレを覆うエラストマー弁をさらに備え得る。この基部は、延長部と一体的に形成され得る。延長部は、その代わりに、基部に作動可能に接続されてもよい。
【００２６】
透明な延長部は、単一の管腔を規定し得る。延長部内に形成された管腔は、この管腔の長さに沿って実質的に均一な直径を規定し得る。この延長部は、細長い管状本体をさらに規定し得、この管状本体は、この管状本体の長さに沿って実質的に均一な直径を有する。この延長部は、その代わりに、実質的にテーパ状の本体を規定してもよく、この場合、この延長部の近位端は、この延長部の遠位端よりも大きい直径を規定する。
【００２７】
延長部を排気する前にフラッシュバックの可視化を可能にするための延長部もまた提供される。この延長部は、実質的に細長い本体を備え、この本体は、近位端および遠位端を有し、そしてこの本体を通る第一の管腔を規定する。この本体は、透明材料から構成される。第一のカニューレが、この細長い本体の遠位端に作動可能に支持され、そして第一の管腔と流体連絡する第二の管腔を規定する。第二のカニューレが、この細長い本体の近位端の近くに作動可能に支持され、そして第一の管腔と流体連絡する第三の管腔を規定する。第一の管腔、第二の管腔、および第三の管腔は、実質的に等しい直径を有し得る。
【００２８】
血液採取手順の間にフラッシュバックを可視化する方法が、さらに提供される。この方法は、針アセンブリを提供する工程であって、この針アセンブリは、ハウジング、第一のカニューレおよび第二のカニューレを備え、このハウジングは、空洞を規定する基部、およびこの基部から遠位に延びる延長部を備え、この延長部は、透明材料から作製されており、そしてこの延長部を通る管腔を規定し、この第一のカニューレは、この延長部内に支持され、そしてこの延長部から遠位に延び、脈管に入るように構成された穿刺先端を有し、そしてこの第二のカニューレは、基部の空洞内に支持され、この第二のカニューレは、この延長部内に形成された管腔を介してこの第一のカニューレと流体連絡する、工程；ならびにこの第一のカニューレの穿刺先端を脈管に挿入する工程を包含する。
【発明の効果】
【００２９】
本発明により、フラッシュバックを可視化するための延長部を備える針アセンブリが提供される。
【発明を実施するための最良の形態】
【００３０】
添付の図面は、本明細書に組み込まれ、本明細書の一部を構成し、本開示の実施形態を図示し、そして上に与えられた本開示の一般的な説明および以下に与えられる実施形態の詳細な説明と一緒に、本開示の原理を説明する役に立つ。
【００３１】
（詳細な説明）
本開示は、針アセンブリを排気する必要なく、静脈に入ったこと（「フラッシュバック」）の視覚的指標を提供する、血液採取のための針アセンブリを提供する。最初に図１および図２を参照すると、本開示の針アセンブリが、一般に、針アセンブリ１００として示されている。針アセンブリ１００は、基部１０４および延長部１０６を有するハウジング１０２を備える。以下でさらに詳細に議論されるように、延長部１０６は、管腔１０５を規定し、そして透明であるか、半透明であるか、または管腔１０５の内容物の可視化を可能にするように他の様式で構成されている。針アセンブリ１００は、第一のカニューレ１１０および第二のカニューレ１２０をさらに備える。第一のカニューレ１１０は、血液採取手順の間、静脈に入ることを容易にするために構成される。第二のカニューレ１２０は、減圧チューブ５０（図３）または他の流体受器と流体連絡するために構成される。
【００３２】
針アセンブリ１００は、基部１０４を有するハウジング１０２を備える。基部１０４は、実質的に円筒形の本体を規定し、この本体は、減圧チューブ５０（図３）または他の流体受器を受容するために構成される。基部１０４は、実質的に開いた近位端１０４ａ、および実質的に閉じた遠位端１０４ｂを備える。基部１０４の遠位端１０４ｂは、第二のカニューレ１２０の遠位端１２０ｂを内部に支持するために構成された開口部１０３を規定する。開口部１０３は、第二のカニューレ１２０を開口部１０３と流体連絡させてさらに支持するためのフランジまたは他の突出部１０３ａを備え得る。フランジ１０３ａは、エラストマー弁１３０と作動可能に係合するために、さらに構成され得る。基部１０４は、プラスチック、ガラス、金属または他の適切な材料から構築され得る。
【００３３】
ハウジング１０２は、延長部１０６をさらに備え、この延長部は、基部１０４から遠位に延びる。上記のように、延長部１０６は、透明であるか、半透明であるか、または管腔１０５の内容物の可視化を可能にするために他の様式で構成される。延長部１０６は、プラスチック、ガラスまたは他の適切な材料から構築され得る。延長部１０６は、基部１０４と同じ材料から構築され得るが、基部１０４と延長部１０６とは、異なる材料から構築されてもよいことが予測される。示されるように、延長部１０６は、基部１０４と一体的に形成され、そして開いた近位端１０６ａおよび遠位端１０６ｂを備えて、この延長部を通る管腔１０５を規定する。延長部１０６は、実質的にテーパ状の本体を規定し、この場合、近位端１０６ａが遠位端１０６ｂより大きい。近位端１０６ａは、基部１０４と一体的に形成され、そして基部１０４の遠位端１０４ｂに形成された開口部１０３と管腔１０５とを流体連絡させるように構成される。延長部１０６の遠位端１０６ｂは、第一のカニューレ１１０の近位端１１０ａを支持するように構成される。延長部１０６は、円柱形レンズとして構成されて、管腔１０５の内容物を拡大して見せ得、これによって、静脈に入る際に、「フラッシュバック」のより大きい可視化を可能にする。１つの実施形態において、延長部１０６の直径は、「フラッシュバック」の可視化を増強するために、近位方向に増加する。
【００３４】
第一のカニューレ１１０は、静脈を穿刺するために適切な任意の公知の材料（例えば、ステンレス鋼）から構築され得る。第一のカニューレ１１０は、近位端１１０ａおよび遠位端１１０ｂを備え、そしてこの第一のカニューレの長さに延びる管腔１１２を規定する。第一のカニューレ１１０の近位端１１０ａは、延長部１０６の遠位端１０６ｂ内に支持されるように構成され、そしてカニューレ１１０を延長部１０６の遠位端１０６ｂ内によりしっかりと取り付けるためのフランジまたは溝を備え得る。第一のカニューレ１１０の近位端１１０ａは、内部に延長部１０６の遠位端１０６ｂを受容するために、裾が広がり得るかまたは傾斜し得ることが予測される。この様式で、第一のカニューレ１１０の近位端１１０ａは、延長部１０６の遠位端１０６ｂを支持する。第一のカニューレ１１０の遠位端１１０ｂは、静脈１０に貫入するために構成された穿刺先端を規定する（図２）。第一のカニューレ１１０の近位端１１０ａは、延長部１０６の遠位端１０６ｂに形成された対応するねじ山内に螺合により受容されるように構成され得ることが、さらに予測される。この様式で、第一のカニューレ１１０は、所定の手順のためにより適切な異なる構成の穿刺カニューレで置き換えられ得る。
【００３５】
針アセンブリ１００は、第二のカニューレ１２０をさらに備える。第二のカニューレ１２０は、金属、ポリマーまたは他の適切な材料から構築され得る。第二のカニューレ１２０は、近位端１２０ａおよび遠位端１２０ｂを備え、そしてこの第二のカニューレの長さを延びる管腔１２２を規定する。第二のカニューレ１２０の遠位端１２０ｂは、基部１０４の遠位端１０４ｂに形成された開口部１０３内に支持されるように構成され、そして開口部１０３内へのよりしっかりした取り付けのためのフランジまたは溝を備え得る。遠位端１２０ｂは、基部１０４の遠位端１０４ｂに形成されたフランジ１０３ａに係合するように、さらに構成され得る。第二のカニューレ１２０の近位端１２０ａは、スリーブ１３０および減圧チューブ５０の隔壁５０ａ（図３）に貫入し得る先端を規定する。第二のカニューレ１２０は、任意の長さのものであり得、そして任意の直径の管腔１２２を規定し得る。
【００３６】
針アセンブリ１００は、第二のカニューレ１２０を覆って延びるエラストマー弁またはスリーブ１３０をさらに備え得る。エラストマー弁１３０は、現在の血液採取アセンブリに組み込まれる公知のエラストマー弁と実質的に類似である。エラストマー弁１３０は、１回の血液採取手順の間に複数の減圧チューブ５０を満たすことを可能にするように構成される。エラストマー弁１３０は、減圧チューブ５０が基部１０４と作動可能に係合していない場合に、カニューレ１２０を密封する。減圧チューブ５０が基部１０４に挿入されると、エラストマー弁１３０が引き込まれ、これによって、カニューレ１２０を露出させ、そして減圧チューブ５０への血液の流入を可能にする。減圧チューブ５０が基部１０４から取り除かれると、弁１３０はその元の構成に戻って、第二のカニューレ１２０を密封する。
【００３７】
針アセンブリ１００を使用する血液採取手順の間、臨床医は、通常の様式で患者を準備する。一旦、穿刺部位が識別されてその領域が滅菌されると、臨床医は、針アセンブリ１００をその滅菌パッケージ（図示せず）内から取り出し得る。第一のカニューレ１１０の遠位端１１０ｂが、皮膚を穿刺して静脈１０に入るために使用される。第一のカニューレ１１０が静脈１０に入る際に、針アセンブリ１００を排気する前に、少量の血液がカニューレ１１０に流入する。延長部１０６の遠位端１０６ｂは、排気前のカニューレ１１０への少量の血液の流入が延長部１０６の遠位端１０６ｂにおいて見えるように、第一のカニューレ１１０の遠位端の近くに位置するべきである。より具体的には、第一のカニューレ１１０の長さは、針アセンブリ１００の排気前にカニューレ１１０に入る少量の血流が延長部１０６に流入することを可能にするために充分に短くなければならない。この様式で、臨床医は、血液が第一のカニューレ１１０を通って移動して管腔１０５に入る際に、「フラッシュバック」を即座に可視化し得る。従って、臨床医は、静脈に入ったことを確認するために、例えば、減圧チューブ５０を基部１０４に挿入することによって針アセンブリ１００を排気する必要がない。臨床医が静脈１０を刺し損なった場合、「フラッシュバック」は即座には現れず、これによって、静脈を穿刺する２回目の試みが必要であることを臨床医に知らせる。１つの実施形態において、カニューレ１１０は、長さが２ｃｍ以下であるべきである。カニューレ１１０の最大長さは、そのゲージに依存して変動することが理解される。
【００３８】
減圧チューブ５０を基部１０４に挿入すると、エラストマー弁１３０が第二のカニューレ１２０の周りで引き込まれる。エラストマー弁１３０の引き込みは、第二のカニューレ１２０を通って減圧チューブ５０内への血液の流れを可能にする。一旦、減圧チューブ５０が満たされると、この減圧チューブは基部１０４内から取り外され得、そして空の減圧チューブで置き換えられ得る。減圧チューブ５０を基部１０４から取り外した後に、第二のカニューレ１２０を覆うエラストマー弁１３０は、血液が第二のカニューレ１２０の開いた近位端１２０ａから流出することを防止する。任意の数の減圧チューブ５０が、この様式で満たされ得る。一旦、所望の数の減圧チューブ５０が満たされると、針アセンブリ１００の第一のカニューレ１１０が静脈１０から引き抜かれ得る。次いで、針アセンブリ１００は、衛生的な様式で廃棄され得る。
【００３９】
ここで図３を参照すると、本開示の代替の実施形態が、針アセンブリ２００として示されている。針アセンブリ２００は、針アセンブリ１００と実質的に類似であるので、これらの間の違いに関してのみが記載される。針アセンブリ２００は、基部２０４および延長部２０６を有するハウジング２０２を備える。延長部２０６は、実質的に均一な直径を有する細長い管状本体を規定する。針アセンブリ２００は、第一のカニューレ２１０および第二のカニューレ２２０をさらに備える。延長部２０６の遠位端２０６ｂは、第一のカニューレ２１０を支持するように構成される。第一のカニューレ２１０は、延長部２０６の遠位端２０６ｂの内部から延び、そして静脈１０に貫入するための穿刺先端２１０ｂを形成する。遠位端２０６ｂは、静脈１０への挿入のためにさらに構成される。この様式で、カニューレ２１０は、静脈１０を穿刺するために充分な長さであることのみを必要とする。図３に示されるように、半透明な延長部２０６の遠位端２０６ｂは、静脈１０内に延びる。従って、少量のみのフラッシュバックが排気前に第一のカニューレ２１０に入るという事実にもかかわらず、フラッシュバックは、皮膚の表面にすぐ隣接した位置で可視化され得る。延長部２０６は、穿刺遠位端２０６ｂを備えるように形成され得、これによって、第一のカニューレ２１０の必要性を排除し得ることが予測される。穿刺遠位端２０６ｂは、例えば、公知の成形技術を使用して、微細な傾斜形状を微小成形することによって、延長部２０６に形成され得る。あるいは、他の公知の技術が使用され得る。
【００４０】
ここで図４および図５を参照すると、本開示の別の実施形態が、針アセンブリ３００として示されている。本明細書中で上に記載された針アセンブリ１００、２００とは異なり、延長部３０６は、基部（図示せず）と一体的に形成されていない。その代わりに、延長部３０６（第一のカニューレ３１０および第二のカニューレ３２０を備える）は、基部と作動可能に係合可能である。この様式で、針アセンブリ３００は、使用後に基部から取り外され得る。血液は、針アセンブリ３００のみを通って流れるので、基部は、採取された流体と決して接触せず、従って、再使用され得る。針アセンブリ３００は、任意の公知の基部と共に使用するために構成され得る。針アセンブリ３００は、上に開示された特徴（エラストマー弁１３０、および拡大して見せる機能を有する延長部が挙げられる）のうちの任意のものを備え得る。
【００４１】
本開示の例示的な実施形態が、添付の図面を参照しながら本明細書中に記載されたが、本開示は、これらの正確な実施形態には限定されないこと、ならびにこれらの実施形態において種々の他の変更および改変が本開示の範囲または趣旨から逸脱することなく当業者によってなされ得ることが理解されるべきである。
【図面の簡単な説明】
【００４２】
【図１】図１は、本開示による針アセンブリの側面図である。
【図２】図２は、図１の針アセンブリの側面断面図である。
【図３】図３は、本開示による針アセンブリの別の実施形態の側面断面図である。
【図４】図４は、本開示による針アセンブリのなお別の実施形態の側面図である。
【図５】図５は、図４の針アセンブリの側面断面図である。
【符号の説明】
【００４３】
５０  減圧チューブ
１００  針アセンブリ
１０２  ハウジング
１０３  開口部
１０３ａ  フランジ
１０４  基部
１０４ａ  近位端
１０４ｂ  遠位端
１０５  管腔
１０６  延長部
１０６ａ  近位端
１０６ｂ  遠位端
１１０  第一のカニューレ
１２０  第二のカニューレ
１３０  エラストマー弁
【図１】
2009082714.tif 000002
【図２】
2009082714.tif 000003
【図３】
2009082714.tif 000004
【図４】
2009082714.tif 000005
【図５】
2009082714.tif 000006